(57)【特許請求の範囲】
【請求項１】
キャリアバーよりフック部を介して取り入れた電流を基板挟持面に形成された裏面側給電部へ送る電極が内部長尺方向に埋設され、該電極及び裏面側給電部を除いて非導電性素材よりなる縦竿状の基板押さえ本体と、
基板挟持面に形成された表面側給電部に電流を送る導電回路が埋設され、該表面側給電部及び導電回路を除いて非導電性素材よりなる基板押さえ兼用給電コマと、
前記基板押さえ本体に前記基板押さえ兼用給電コマを装着する導電性を有する締め付け螺子であって、前記基板押さえ本体との螺合部に正螺子部が形成され、前記基板押さえ兼用給電コマとの螺合部に逆螺子部が形成され、前記電極及び前記導電回路と接続する締め付け螺子と、
によりなるメッキ用基板保持具であって、保持した基板に対し、前記表面側及び裏面側給電部より基板に給電することを特徴とするメッキ用基板保持具。
【請求項２】
上記メッキ用基板保持具が、１本の独立した上記基板押さえ本体に複数の上記基板押さえ兼用給電コマを上記締め付け螺子にて取り付けたものであり、該メッキ用基板保持具を複数本用いて基板を保持するものである請求項１記載のメッキ用基板保持具。
【請求項３】
上記表面側給電部が上記裏面側給電部と、対称の位置に形成されたことを特徴とする請求項１または２記載のメッキ用基板保持具。
【発明の詳細な説明】
【技術分野】
【０００１】
本発明は、主としてキャリアタイプのメッキ装置に用いられるメッキ用基板保持具の改良に関するものである。
【背景技術】
【０００２】
従来よりメッキ用基板保持具での基板保持の方式には、特許文献１に従来技術として示されるような締め付け保持方式、バネ保持方式、挟み込み保持方式、クリップ保持方式などが存在した。本発明は、締め付け保持方式のメッキ用基板保持具の改良である。
【０００３】
締め付け保持方式のメッキ用基板保持具には、特許文献２記載のように基板支持体と締め付け螺子で基板を保持するものや、特許文献１記載のように基板を表裏より締め付け螺子で連結されている縦板にて保持するものが存在した。これらのものはいずれにしろ締め付け螺子を締め付けることにより基板を保持しようとするものであった。更に、通常は特許文献２に示されるように締め付け螺子が給電部の役割を担っていた。
【０００４】
従って、このような締め付け保持方式のメッキ用基板保持具で、基板の確実な保持と基板への確実な給電を確保するためには締め付け螺子の個数を増やす必要があった。しかし、締め付け螺子の個数が増えると基板の着脱の際に、締め付け螺子を回す作業が負担となっていた。
【先行技術文献】
【特許文献】
【０００５】
【特許文献１】特開２０００−２４８４００号公開特許公報
【特許文献２】特開平４−３３７１００号公開特許公報
【発明の概要】
【発明が解決しようとする課題】
【０００６】
本発明は、上記問題点を解決しようとするもので、締め付け螺子の正螺子部と逆螺子部を利用することにより、通常より大きな間隔（倍以上の間隔）で基板押さえ本体と基板押さえ兼用給電コマが締め付けられ、または、離れ、短時間でメッキ用基板保持具への基板の着脱を可能とするメッキ用基板保持具を提供するものである。
【課題を解決するための手段】
【０００７】
上記課題を解決するため、第１の発明は、メッキ用基板保持具に次の手段を採用する。
第１に、キャリアバーよりフック部を介して取り入れた電流を基板挟持面に形成された裏面側給電部へ送る電極が内部長尺方向に埋設され、該電極及び裏面側給電部を除いて非導電性素材よりなる縦竿状の基板押さえ本体と、基板挟持面に形成された表面側給電部に電流を送る導電回路が埋設され、該表面側給電部及び導電回路を除いて非導電性素材よりなる基板押さえ兼用給電コマと、前記基板押さえ本体に前記基板押さえ兼用給電コマを装着する導電性を有する締め付け螺子であって、前記基板押さえ本体との螺合部に正螺子部が形成され、前記基板押さえ兼用給電コマとの螺合部に逆螺子部が形成され、前記電極及び前記導電回路と接続する締め付け螺子と、によりなる。
第２に、保持した基板に対し、前記表面側及び裏面側給電部より基板に給電する。
【０００８】
第２の発明は、第１の発明におけるメッキ用基板保持具が、１本の独立した基板押さえ本体に複数の基板押さえ兼用給電コマを締め付け螺子にて取り付けたものであり、該メッキ用基板保持具を複数本用いて基板を保持するものであることを付加したものである。
【０００９】
第３の発明は、第１または第２の発明におけるメッキ用基板保持具において、表面側給電部が裏面側給電部と、対称の位置に形成されたことを付加したものである。
【発明の効果】
【００１０】
本発明は、締め付け螺子の基板押さえ本体との螺合部に正螺子部を形成し、且つ、基板押さえ兼用給電コマとの螺合部に逆螺子部を形成したものであるので、締め付け螺子の１回転により、基板押さえ本体と基板押さえ兼用給電コマは、正螺子部の１ピッチと逆螺子部の１ピッチとの和だけ締め付けられ、短時間で基板押さえ本体と基板押さえ兼用給電コマによる基板保持のための締め付けを可能とする。
【００１１】
更に、メッキ用基板保持具から基板を外す際には、締め付け螺子の１回転で、正螺子部の１ピッチと逆螺子部の１ピッチとの和の間隔で基板押さえ本体と基板押さえ兼用給電コマが離れ、短時間で基板をメッキ用基板保持具から外すことを可能とする。これにより、簡単迅速な基板押さえ本体と基板押さえ兼用給電コマによる基板の着脱を可能とするメッキ用基板保持具となり、作業効率を向上できるものとなった。
【００１２】
加えて、本発明は、保持した基板に対し、表面側及び裏面側給電部より基板に給電することにより、基板の表裏両面からのメッキ用電流の供給が可能となり、メッキの適正及び効率化を図ることができるものとなった。
【００１３】
第２の発明の効果ではあるが、メッキ用基板保持具が、１本の独立した基板押さえ本体に複数の基板押さえ兼用給電コマを締め付け螺子にて取り付けたものであり、該メッキ用基板保持具を複数本用いて基板を保持するものであるので、該メッキ用基板保持具の各間隔を変更するだけで、基板の横寸法に合わせることのできるメッキ用基板保持具となった。
【図面の簡単な説明】
【００１４】
【図１】キャリアタイプのメッキ装置での使用状態を示す正面説明図
【図２】メッキ用基板保持具の説明図で、（Ａ）は側面説明図、（Ｂ）は正面説明図、（Ｃ）は背面説明図である。
【図３】締め付け螺子の説明図
【図４】基板脱着状態の原理説明図で、（Ａ）は基板開放状態を示し、（Ｂ）は基板保持状態を示す。
【図５】基板押さえ兼用給電コマ付近での電流供給状態を示す側面説明図
【図６】基板押さえ兼用給電コマの給電部を示す正面説明図
【発明を実施するための形態】
【００１５】
以下、図面に従って、実施例と共に本発明を実施するための形態について説明する。図１は、本実施例に係るメッキ用基板保持具を用いたキャリアタイプのメッキ装置を示す説明図であり、図１中符号１は本発明の特徴であるメッキ用基板保持具であり、２はメッキ対象の基板であり、３はキャリアバーであり、４は装置の外枠であり、１１はメッキ用基板保持具１の固定レールである。尚、図１中点線部分が、実際にメッキを行う場合のメッキ液の液面位置である。
【００１６】
メッキ用基板保持具１は、図２に詳細が示されており、図２（Ａ）は側面説明図、（Ｂ）は正面説明図、（Ｃ）は背面説明図である。図２により明らかなように、メッキ用基板保持具１は、縦方向に長尺な１本の竿状の独立したものである。
【００１７】
メッキ用基板保持具１は、縦方向に長尺な１本の単体である基板押さえ本体５と、基板押さえ本体５に装着される複数の基板押さえ兼用給電コマ６と、基板押さえ本体５に基板押さえ兼用給電コマ６を装着する締め付け螺子７と、基板押さえ本体５の上端に連結されたフック８と、基板押さえ本体５の下端に連結された治具ガイド９とよりなる。
【００１８】
メッキ用基板保持具１は、従来の基板保持具のような枠体でなく上記のように１本の独立したものであるため、基板２の保持には図１に示されるように左右の２本のメッキ用基板保持具１を用いる。図１では、４枚の基板２を５本のメッキ用基板保持具１で保持している。このためメッキ用基板保持具１の左右（図１では上下）両側に基板挟持面１３，１４や給電部１５，１６が形成されている。    
【００１９】
基板押さえ本体５は、非導電素材の縦方向に長尺の竿状体で、基板押さえ本体５の下端には治具ガイド９が連設されている。治具ガイド９は、固定レール１１に係合することによりメッキ用基板保持具１の垂直性を確保するものである。他方、基板押さえ本体５の上端にはフック８が連結されている。フック８は導電性を有し、キャリアバー３にクランプ装置１０で締め付けた上、位置決め固定されて吊り下げ保持される。
【００２０】
基板押さえ本体５の内部には、導電性あるフック８と連結される同じく導電性ある電極１２が、長尺方向に向かって埋設されている。メッキ用の電流は、キャリアバー３より、フック８を介して、電極１２に流れている。
【００２１】
基板押さえ本体５の正面側の所望位置には、基板押さえ兼用給電コマ６が装着されている。基板押さえ兼用給電コマ６も基板押さえ本体５と同様、非導電性素材でなる。基板２は、図４に示されるように、基板押さえ本体５の基板挟持面１３と基板押さえ兼用給電コマ６の基板挟持面１４とで挟んで保持される。基板挟持面１３，１４は、基板押さえ本体５及び基板押さえ兼用給電コマ６の各々左右２カ所に設けられる。基板押さえ本体５では、基板挟持面１３が、基板押さえ兼用給電コマ６と向かい合う部分で、図５及び図６に示される中央凸部２１の左右位置に設けられ、基板押さえ兼用給電コマ６では、基板挟持面１４が、基板挟持面１３に対応する位置の基板押さえ兼用給電コマ６の下面に形成される。
【００２２】
図１及び図２に示される実施例では、基板２の大きさに対応して、４カ所に基板押さえ兼用給電コマ６が装着されている。基板押さえ兼用給電コマ６は、本発明の特徴のひとつとなる締め付け螺子７にて、基板押さえ本体５に装着される。該締め付け螺子７も導電性を有する。
【００２３】
締め付け螺子７は、図３に示されるように正螺子部１８と逆螺子部１９が形成されている。図４に示されるように基板押さえ本体５の螺合部に螺合される部分が、正螺子部１８として形成され、基板押さえ兼用給電コマ６の螺合部に螺合される部分が、逆螺子部１９として形成されている。尚、締め付け螺子７には、回転補助のため蝶ナット１７が固着されている。
【００２４】
従って、ここで締め付け螺子７を、固着されている蝶ナット１７をひねって、時計回りに回すと、基板押さえ本体５の螺合部に装着されている締め付け螺子７の正螺子部１８は基板押さえ本体５の螺合部へと沈んでいく。同時に、基板押さえ兼用給電コマ６の螺合部に装着されている締め付け螺子７の逆螺子部１９は基板押さえ兼用給電コマ６を、締め付け方向である基板押さえ本体５側（図４中左方）へ移動させる。このようにして、図４（Ａ）に示される基板開放状態から、図４（Ｂ）に示される基板保持状態へ移行する。
【００２５】
基板２を外す場合には、蝶ナット１７を開放側、即ち、時計回りと逆方向に回転させる。この際、上記締め付け動作と逆となり、締め付け螺子７の１回転で、通常の２倍以上の間隔で基板押さえ本体５と基板押さえ兼用給電コマ６が離れるため、簡単迅速に基板２をメッキ用基板保持具１から外すことができるのである。
【００２６】
基板押さえ本体５及び基板押さえ兼用給電コマ６の基板挟持面１３，１４には給電部１５、１６が設けられている。基板挟持面１３，１４が、基板押さえ本体５及び基板押さえ兼用給電コマ６の各々左右２カ所に設けられるのと同様、左右の基板挟持面１３，１４に給電部１５，１６が設けられる。
【００２７】
基板押さえ本体５の基板挟持面１３に設けられた給電部１５が、基板２の裏面側に当接する給電部であり、本発明における裏面側給電部となる。基板押さえ兼用給電コマ６の基板挟持面１４に設けられた給電部１６が、基板２の表面側に当接する給電部であり、本発明における表面側給電部となる。
【００２８】
基板押さえ本体５側の給電部１５は、基板押さえ本体５内の電極１２より、基板挟持面１３へと露出する接点２０を立設して形成され、図５中央の短い矢印に示されるように給電される。他方、基板押さえ兼用給電コマ６の給電部１６は、図５及び図６に示されるように、接点２０が締め付け螺子７の基板挟持面１４の上下左右に配置されるよう導電回路２２を埋設して形成されている。該導電回路２２が、電極１２に接する締め付け螺子７と接続しており、図５の中央より右方側に向かう長い矢印に示されるように給電される。
【００２９】
以下、図示の実施例に係るメッキ用基板保持具１の使用方法について説明する。先ず、基板２の保持に関して説明する。締め付け螺子７が緩められている状態で、基板２を基板押さえ本体５と基板押さえ兼用給電コマ６の間に挿入する。基板２は、基板押さえ本体５の中央凸部２１に当接して、挿入が停止される。即ち、中央凸部２１が、基板２の側端のストッパーとして機能する。
【００３０】
ここで締め付け螺子７を、固着されている蝶ナット１７をひねって、時計回りに回す。
このとき基板押さえ本体５の螺合部に装着されている締め付け螺子７の螺合部は正螺子部１８が形成されているため、基板押さえ本体５の螺合部へと沈んでいく。同時に、基板押さえ兼用給電コマ６の螺合部に装着されている締め付け螺子７の螺合部には、逆螺子部１９が形成されているため、該螺合部に螺合している基板押さえ兼用給電コマ６は、締め付け螺子７に対して図４中左方へ移動する。
【００３１】
即ち、締め付け螺子７を１回転することにより、締め付け螺子７が基板押さえ本体５に対し１ピッチ食い込み、同時に該締め付け螺子７に装着されている基板押さえ兼用給電コマ６が、締め付け螺子７に対し１ピッチ締め付け方向へ移動（図４中左方へ移動）する。よって、締め付け螺子７の１回転により、基板押さえ本体５と基板押さえ兼用給電コマ６は、２ピッチ分、正確には、正螺子部１８の１ピッチと逆螺子部１９の１ピッチとの和だけ締め付けられ、短時間で基板押さえ本体５と基板押さえ兼用給電コマ６による基板２の保持動作が完了する。
【００３２】
このことは、メッキ用基板保持具１から基板２を外す際にも、効果的である。即ち、締め付け螺子７を開放側、即ち、時計回りと逆方向に回転させると、上記締め付け動作と逆となり、締め付け螺子７の１回転で、通常の２倍以上の間隔で基板押さえ本体５と基板押さえ兼用給電コマ６が離れるため、簡単迅速に基板２をメッキ用基板保持具１から外すことができるのである。
【００３３】
次にメッキ用電流の供給について説明する。キャリアバー３に供給された電流は、キャリアバー３よりフック８を介して、基板押さえ本体５の内部の電極１２に流れる。基板押さえ本体５の基板挟持面１３に形成した給電部１５より、挟持された基板２裏面に給電されるとともに、基板押さえ兼用給電コマ６の給電部１６より支持された基板２表面に給電される。これにより、基板２に対し電流が供給され、基板２に対するメッキが行われる。
【符号の説明】
【００３４】
１・・・・・メッキ用基板保持具
２・・・・・基板
３・・・・・キャリアバー
４・・・・・外枠
５・・・・・基板押さえ本体
６・・・・・基板押さえ兼用給電コマ
７・・・・・締め付け螺子
８・・・・・フック
９・・・・・治具ガイド
１０・・・・クランプ装置
１１・・・・固定レール
１２・・・・電極
１３、１４・基板挟持面
１５，１６・給電部
１７・・・・蝶ナット
１８・・・・正螺子部
１９・・・・逆螺子部
２０・・・・接点
２１・・・・中央凸部
２２・・・・導電回路
【図１】
0005618135.tif 000002
【図２】
0005618135.tif 000003
【図３】
0005618135.tif 000004
【図４】
0005618135.tif 000005
【図５】
0005618135.tif 000006
【図６】
0005618135.tif 000007